(57)【要約】【課題】  ＩＣカードやＳＤカード等のカードを保持するように設けられたカバー部材の回動に連動してラッチするラッチ機構と、閉合時にベース部材に対してカバー部材を正常位置に導く誤操作防止機構とを有する低背化された小型のカード用コネクタを得ると共に、この小型化されたカード用コネクタを用いる薄型で小型の情報端末機器を得る。【解決手段】  ベース部材と、該ベース部材に開閉可能に枢着連結されたカバー部材とを有し、前記ベース部材とカバー部材の間にカードを装着するカード用コネクタにおいて、前記カバー部材を回動して前記ベース部材に対して正常位置に導く誤操作防止機構と、前記カバー部材を前記ベース部材にラッチするラッチ機構とを有する。【選択図】  図１
2005174721.tif 000002
【特許請求の範囲】
【請求項１】
ベース部材と、該ベース部材に開閉可能に枢着連結されたカバー部材とを有し、前記ベース部材とカバー部材の間にカードを装着するカード用コネクタにおいて、
前記カバー部材を回動して前記ベース部材に対して正常位置に導く誤操作防止機構と、前記カバー部材を前記ベース部材にラッチするラッチ機構とを有することを特徴とするカード用コネクタ。
【請求項２】
前記ラッチ機構は、前記ベース部材と前記カバー部材との係脱自在な係止をなすことを特徴とする請求項１記載のカード用コネクタ。
【請求項３】
前記ラッチ機構は、前記ベース部材と前記カバー部材の開閉側端部に互いに噛合い係合する係止部と係止受け部とを有することを特徴とする請求項２記載のカード用コネクタ。
【請求項４】
前記誤操作防止機構は、前記ベース部材と前記カバー部材とを回動可能に枢着連結する軸を有し、該軸にねじが形成され、前記ベース部材と前記カバー部材の枢着連結部にねじ係合されていることを特徴とする請求項１記載のカード用コネクタ。
【請求項５】
前記ねじは、前記カバー部材の開閉に際して前記カバー部材を横方向に移動することを特徴とする請求項４記載のカード用コネクタ。
【請求項６】
前記カバー部材の横方向の移動は、前記ねじのリード量に対応していることを特徴とする請求項５記載のカード用コネクタ。
【請求項７】
前記請求項１乃至の６いずれか１項記載のカード用コネクタを用いることを特徴とする情報端末機器。
【発明の詳細な説明】
【技術分野】
【０００１】
本発明は、携帯電話機や、電話機、ＰＤＡ（Personal  Digital  Assistance）、携帯型オーディオ、カメラ、パソコン等の情報端末機器や電子機器のカード用コネクタおよびこのようなカード用コネクタを用いる情報端末機器に係わるものであり、特に、ＩＣカードやＳＤカード等のカードが装着されるカード用コネクタと、このカード用コネクタを有する情報端末機器に関するものである。
【背景技術】
【０００２】
従来、電気部品としてのＩＣパッケージを有するＩＣカードやＳＤカード等のカードにおいては、ＩＣカードやＳＤカード等を装着するためのカード用コネクタが必要であり、このようなカード用コネクタが、携帯電話機や、電話機、ＰＤＡ、携帯型オーディオ、カメラ等の情報端末機器に広く用いられている。
【０００３】
【特許文献１】特開２００２−１３４２３４号公報
【発明の開示】
【発明が解決しようとする課題】
【０００４】
従来のこのような情報端末機器に用いられるカード用コネクタにおいては、小型で、背の低い、所謂、薄型のコネクタが必要であり、ＩＣカードやＳＤカード等のカードを保持するためのカバー部材を有し、このようなカバー部材をベース部材に対してラッチする方法の１つとしてスライド方式のラッチ等がある。
【０００５】
さらに、このようなカード用コネクタのラッチ方式において、ラッチする場合に、本来の位置にカバー部材があれば良いが、従来においては、カバー部材の位置の制御が行なわれておらず、カバー部材が正常位置に位置されないままカバー部材をラッチしようと押し付けると、カバー部材を破損してしまう場合がある。その対策として、このような誤操作を防止してカバー部材を損傷すること無くラッチできるラッチ機構が求められている。
【０００６】
特に、携帯電話機においては、小型で軽量な携帯電話機が求められており、折畳式の携帯電話機にＩＣカードやＳＤカード等のカードを装着するための非常に小型のカード用コネクタが要求されている。
【０００７】
従って、本発明の目的は、このような従来における問題点を解決するために、ＩＣカードやＳＤカード等のカードを保持するように設けられたカバー部材の回動に連動してラッチするラッチ機構と、閉合時にベース部材に対してカバー部材を正常位置に導く誤操作防止機構とを有する低背化された小型のカード用コネクタを提供することにある。
【０００８】
また、本発明の別の目的は、上記の小型化されたカード用コネクタを用いる薄型で小型の情報端末機器を提供することにある。
【課題を解決するための手段】
【０００９】
上記目的を達成するために、本発明のカード用コネクタは、ベース部材と、該ベース部材に開閉可能に枢着連結されたカバー部材とを有し、前記ベース部材とカバー部材の間にカードを装着するカード用コネクタにおいて、前記カバー部材を回動して前記ベース部材に対して正常位置に導く誤操作防止機構と、前記カバー部材を前記ベース部材にラッチするラッチ機構とを有することを特徴とする。
【００１０】
また、本発明のカード用コネクタは、前記ラッチ機構が、前記ベース部材と前記カバー部材との係脱自在な係止をなすことを特徴とする。
【００１１】
さらに、本発明のカード用コネクタは、前記ラッチ機構が、前記ベース部材と前記カバー部材の開閉側端部に互いに噛合い係合する係止部と係止受け部とを有することを特徴とする。
【００１２】
さらにまた、本発明のカード用コネクタは、前記誤操作防止機構が、前記ベース部材と前記カバー部材とを回動可能に枢着連結する軸を有し、該軸にねじが形成され、前記ベース部材と前記カバー部材の枢着連結部にねじ係合されていることを特徴とする。
【００１３】
本発明のカード用コネクタは、前記ねじが、前記カバー部材の開閉に際して前記カバー部材を横方向に移動することを特徴とする。
【００１４】
また、本発明のカード用コネクタは、前記カバー部材の横方向の移動が、前記ねじのリード量に対応していることを特徴とする。
【００１５】
さらに、本発明の情報端末機器は、上記いずれかのカード用コネクタを用いることを特徴とする。
【発明の効果】
【００１６】
本発明のカード用コネクタは、ベース部材と、該ベース部材に開閉可能に枢着連結されたカバー部材とを有し、前記ベース部材とカバー部材の間にカードを装着するカード用コネクタにおいて、前記カバー部材を回動して前記ベース部材に対して正常位置に導く誤操作防止機構と、前記カバー部材を前記ベース部材にラッチするラッチ機構とを有するので、ベース部材とカバー部材とによって小型で、低背化された薄いカード用コネクタが得られると共に、閉合時のカバー部材の作動を正常位置に的確に導いてラッチされるようにして、カバー部材やラッチ機構の破損を防ぐことができる。
【００１７】
また、本発明の情報端末機器は、上記のように構成されたカード用コネクタを用いるので、カード用コネクタ自体が非常に小型化されているために、これを用いる携帯電話機、電話機、ＰＤＡ、携帯型オーディオ、カメラ、パソコン等の情報端末機器自体の薄型化と小型化とを図ることができる。
【発明を実施するための最良の形態】
【００１８】
本発明のカード用コネクタは、ベース部材と、該ベース部材に開閉可能に枢着連結されたカバー部材とを有し、前記ベース部材とカバー部材の間にカードを装着するカード用コネクタにおいて、前記カバー部材を回動して前記ベース部材に対して正常位置に導く誤操作防止機構と、前記カバー部材を前記ベース部材にラッチするラッチ機構とを有することを特徴とする。
【００１９】
さらに、本発明の情報端末機器は、上記のように構成されたカード用コネクタを用いることを特徴とする。
【００２０】
本発明のその他の目的や特徴および利点は、添付図面に示される本発明の実施形態についての以下の詳細な説明から明らかである。
【実施例１】
【００２１】
図１乃至図６は、本発明のカード用コネクタの実施例を示す図で、図１はカード用コネクタの平面図、図２は図１のカード用コネクタの側面図で、図３は正面図、図４はカバー部材を開いた時のベース部材とカバー部材の平面図で、図５は図４のＶ−Ｖ線に沿った断面図、図６は、カバー部材を閉じる時の状態を段階的に示す側面図である。
【００２２】
図１乃至図６に示されるように、本発明のカード用コネクタ１は、例えば電気的に絶縁性の合成樹脂材料から作られたベース部材２と、このベース部材２の一端に枢動可能に連結された絶縁性の合成樹脂材料または金属板材料から作られたカバー部材３とから構成されており、カバー部材３を閉じる時の誤操作防止機構４と、ベース部材２とカバー部材３とを閉合状態においてラッチするラッチ機構５とを有していて、図示されるようにベース部材２とカバー部材３との間にＩＣカードやＳＤカード等のカード６が装着されるように形成されている。
【００２３】
本発明のカード用コネクタ１において、ベース部材２は、長方形部分の左右両側の中程の部分が僅かに延出したほぼ十字形の変形した形状をなしていて、四隅に外方に突出する取付支持用の脚部８が設けられており、一端にカバー部材３と枢動可能に連結するためのヒンジ等の一方の枢支部９と、枢支ピンのような軸１５とが設けられていて、この軸１５にねじが形成されている。さらにまた、ベース部材２の中央部分には複数対の、図示の本実施例においては３対の、コンタクト１０が設けられており、他方の端部にはカバー部材３の１つの側辺と隣接するように直立した壁１６が設けられている。
【００２４】
また、カバー部材３は、ほぼ長方形状に形成されており、ベース部材２の一端にヒンジ等の他方の枢支部１４が設けられていて、上記のねじの形成された軸１５によってベース部材２と枢動可能に連結されており、ベース部材２に対してカバー部材３を閉合する時に、軸１５に形成されたねじによってカバー部材３が横方向に移動されると共に、さらに、ベース部材２とカバー部材３との間にカード６を収容できるように空間部分を形成するように構成されている。
【００２５】
このような本発明のカード用コネクタ１のベース部材２とカバー部材３とにおいて、これらベース部材２とカバー部材３が枢着連結される枢支部９、１４と、ねじが形成された軸１５とによって誤操作防止機構４が形成されており、この誤操作防止機構４によって、後述するように、閉合時にカバー部材３を正常位置に的確に導いてラッチが行なわれるようにしている。
【００２６】
さらに、カバー部材３の他端側、すなわち上記枢支部１４側と反対側には、下方に垂下する壁１７が設けられていて、ベース部材２の直立した壁１６に沿って位置されるように形成されており、この壁１７の内側の下辺部分に沿って内方に突出するラッチ爪のような係止部２０と、この係止部２０に対応するようにベース部材２に設けられた係止受け部２１とを有するラッチ機構５が設けられていて、ベース部材２に対してカバー部材３をラッチ係合できるように構成されるのが好適である。
【００２７】
さらにまた、ベース部材２の一側には、カード６の端部が当接されてカード６が位置決めされるように、必要に応じて端壁１３を設けることができる。なお、カバー部材３の閉合時の横方向へのカバー部材３の移動量は、軸１５に形成されるねじのリード量に対応している。
【００２８】
本発明のカード用コネクタに使用されるＩＣカードやＳＤカード等のカード６は、一端に切欠きが設けられたほぼ長方形を成していて、内部に情報を記録または読出しするためのＩＣチップ等を内蔵しており、表面側に、カード用コネクタ１のコンタクト１０と接続される外部端子７が設けられている。
【００２９】
また、本発明のカード用コネクタ１における各組のコンタクト１０は、左右に対向するように配置されていて、ベース部材２に一部分が一体的にモールド成形されており、内側に接点部１１を有すると共に、外側に端子１２が設けられていて、接点部１１がカード６の外部端子７と接触して電気的に接続できるように形成されている。
【００３０】
これらコンタクト１０は、導電性の金属の弾性条片から作られ、内側の接点部１１がフリーになっていて自己弾性力によって上方に浮き上がった状態に持ち上げられて弾性変形可能に、かつ僅かに彎曲した形状に形成されており、ＩＣカードやＳＤカード等のカード６が装着されてカバー部材３が閉じられた時に、コンタクト１０の弾性力に抗して押されて、カード６の外部端子７と良好に接触できるようになっている。また、外側の端子１２は、情報端末機器のような外部の電子機器の回路基板等の端子と半田付け等によって電気的に接続できるように形成されている。
【００３１】
このような本発明のカード用コネクタ１において、誤操作防止機構４とラッチ機構５が、ベース部材２とカバー部材３の回動部分および閉合側部分にそれぞれ設けられている。誤操作防止機構４は、ラッチ機構５が解除されてベース部材２に対してほぼ平坦に平面状に開かれているカバー部材３を、ベース部材２に対して閉合する時に、ベース部材２に対して正常位置にカバー部材３が位置されるようにカバー部材３を導いて、カバー部材３やラッチ機構５の損傷を阻止するための機構で、ベース部材２とカバー部材３の枢着連結部分の枢支部９、１４と、ねじが形成された軸１５とから構成されている。
【００３２】
従って、誤操作防止機構４は、ベース部材２に対してカバー部材３が開かれている時には、カバー部材３が図４に示される位置にあって、軸１５の１ピッチのほぼ半分の距離だけ、図示で右方向に位置されており、この位置でのカバー部材３の横方向への移動を防止しており、ラッチ機構５が完全に解除されていてフリーになっており、カバー部材３の開放時の横方向の移動を阻止するように作用している。従って、ラッチ機構５が解除されてカバー部材３が完全に開かれており、カード６を載置できるフリーな状態に位置されており、これによって、カード６を装着してカバー部材３を閉じるように回動することができる。
【００３３】
また、ラッチ機構５は、ベース部材２に対してカバー部材３が閉合された時に、ベース部材２に対してカバー部材３を閉合した状態に固持するように形成されており、図示されるように、カバー部材３に設けられた係止部２０と、ベース部材２に設けられた係止受け部２１とを有しており、閉合時に係止部２０が係止受け部２１に係合されることによってラッチされるように構成されている。
【００３４】
従って、カバー部材３の閉合時に、ベース部材２に対してカバー部材３を閉じるように回動する際に、カバー部材３の閉合方向への作動を、ねじが形成された軸１５を有する誤操作防止機構４によって正常位置へとカバー部材３を的確に導いて位置させるようにでき、ラッチ機構５によってベース部材２に対してカバー部材３をラッチすることができる。
【００３５】
このように構成された本発明のカード用コネクタ１においては、ベース部材２とカバー部材３とが一側においてねじの形成された軸１５により枢着連結されており、ベース部材２に対するカバー部材３の閉合を、必ず本来の正常位置にカバー部材３を導いて位置させるために、カバー部材３がベース部材２に正常に閉合されてラッチされるので、カバー部材３やラッチ機構５の破損を防ぐことができると共に、誤操作防止機構４のねじの形成された軸１５によって、カバー部材３が必ず本来のラッチ位置に導かれるようにカバー部材３を確実に正常位置に導いて横移動することができ、ベース部材２とカバー部材３とのラッチ機構５における係合、離脱を確実に得ることができるし、かつ、カード用コネクタ１自体を小型で、薄く、低背化することができる。
【００３６】
さらに、このような本発明のカード用コネクタ１においては、ベース部材２に設けられた端壁１３と壁１６とによって、カード６の端辺と側辺とを当接させることによってカード６を正確に位置決めすることができるし、コンタクト１０のフリーな接点部１１の弾性力によって閉合時にはカード６の外部端子７としっかりと接触して接続することができ、ラッチ機構５によるラッチによってベース部材２にカバー部材３がしっかりと固定される。
【００３７】
また、本発明のカード用コネクタ１においては、ベース部材２とカバー部材３とを開閉できるように枢動可能に連結して、特に、カバー部材３を金属板材料で作ることによって、カバー部材３を強固に薄く作ることができるので、カード用コネクタ１全体を強固に、薄く、低背化して、しかも、親指の頭部程度の大きさに、小型に作ることができ、情報端末機器等に良好に取付けて適用することができる。
【産業上の利用可能性】
【００３８】
本発明のカード用コネクタおよび情報端末機器は、携帯電話機や、電話機、パソコン、ＰＤＡ、携帯型オーディオ、カメラ等に好適に使用できる。
【図面の簡単な説明】
【００３９】
【図１】本発明のカード用コネクタの平面図である。
【図２】図１の本発明のカード用コネクタの側面図である。
【図３】本発明のカード用コネクタの正面図である。
【図４】カバー部材を開いた時のベース部材とカバー部材の平面図である。
【図５】図４のＶ−Ｖ線に沿った断面図である。
【図６】カバー部材を閉じる時のカバー部材の状態を段階的に示す側面図である。
【符号の説明】
【００４０】
１      カード用コネクタ
２      ベース部材
３      カバー部材
４      誤操作防止機構
５      ラッチ機構
６      カード
７      外部端子
８      脚部（取付支持用）
９      枢支部
１０    コンタクト
１１    接点部
１２    端子
１３    端壁
１４    枢支部
１５    軸
１６    壁
１７    壁
１８    防止部材
１９    連結部材
２０    係止部
２１    係止受け部
【図１】
2005174721.tif 000003
【図２】
2005174721.tif 000004
【図３】
2005174721.tif 000005
【図４】
2005174721.tif 000006
【図５】
2005174721.tif 000007
【図６】
2005174721.tif 000008